【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
遊技機であって、
それぞれが図柄の変動と停止との表示が可能な複数の変動領域を有する表示部と、
前記複数の変動領域のそれぞれにおける表示を制御する手段であって、前記複数の変動領域のそれぞれに確定して停止表示させた図柄によって特定の図柄の組み合わせを表すことによって遊技者に特典が与えられることを報知する表示制御手段と、
を備え、
前記表示制御手段は、前記図柄の変動と停止との表示の制御のパターンとして、
前記複数の変動領域のそれぞれにおいて、前記図柄の変動を開始させる変動開始処理と、
前記変動開始処理による前記変動の開始の後に、前記複数の変動領域のうちの一部の変動領域において、図柄を停止表示させる部分停止処理と、
前記部分停止処理の後に、前記図柄が変動している変動領域のうちの特定の変動領域において、複数の図柄を含む図柄群を表示する処理であって、前記一部の変動領域に停止表示された図柄と組み合わせた場合に、前記特典が与えられることを報知する図柄の組み合わせを形成し得る図柄である当たり図柄を複数含む図柄群を表示する図柄群表示処理と、
前記図柄群表示処理の後に、前記特定の変動領域において、前記図柄群に含まれる複数の図柄のうちの１つの図柄を確定した図柄として停止表示させる図柄群変動停止表示処理と、
を含む図柄群変動パターンを有する、
遊技機。
【請求項２】
請求項１に記載の遊技機であって、
前記表示制御手段は、前記図柄群変動パターンの１つとして、前記図柄群変動停止表示処理において前記当たり図柄を確定した図柄として停止表示させることによって、前記複数の変動領域に、前記特典が与えられることを報知する図柄の組み合わせを停止表示させるパターンである当選パターンを有する、
遊技機。
【請求項３】
請求項２に記載の遊技機であって、
前記表示制御手段は、前記図柄群変動パターンの１つとして、前記図柄群変動停止表示処理において前記当たり図柄とは異なる図柄を確定した図柄として停止表示させることによって、前記複数の変動領域に、前記特典が与えられないことを報知する図柄の組み合わせを停止表示させるパターンであるハズレパターンを有する、
遊技機。
【手続補正２】
【補正対象書類名】明細書
【補正対象項目名】０００５
【補正方法】変更
【補正の内容】
【０００５】
（解決手段１）課題を解決するための手段１は、請求項１に記載していた通りであり、複数の図柄からなる図柄群を変動または停止して表示する変動領域を有する表示部を備え、変動後に特定図柄が所定位置に停止すると遊技者に特典を与える遊技機において、前記図柄群の全部または一部をほぼ同一面上に配置して面状図柄群を形成し、前記面状図柄群を一体的に移動させることによって前記面状図柄群を変動し、その変動後に特定図柄が所定位置に停止すると遊技者に特典を与える遊技機である。ここで、請求項１に記載した用語については以下のように解釈する。当該解釈は他の請求項および発明の詳細な説明においても同様である。
（１）「表示部」は一の表示器について画像を表示する部位の全部であってもよく、当該部位の一部であってもよい。さらには一の表示器（あるいは表示装置）に限らず、複数の表示器であってもよい。そのため「複数の変動領域を有する」という場合には、一つの表示器で複数の変動領域を有する態様と、複数の表示器について複数の変動領域を任意に振り分ける態様とがある。
（２）「変動領域」は表示部について画像を表示する部位の全部であってもよく、当該部位の一部であってもよい。
（３）「停止」には完全に停止する場合のみならず、基準位置を中心に任意の方向に任意の距離範囲で動かす場合をも含む。
（４）「面状図柄群」は図柄群の全部または一部をほぼ同一面上に配置した図柄群からなり、平面上に配置する態様に限らない。すなわち、曲面上に配置する態様や、平面と曲面とを任意に組み合わせて合成した面に配置する態様をも含む。
（５）「特定図柄」は一の図柄のみならず、複数の図柄を含む。複数の図柄の場合には、これらの図柄の組み合わせになる。
【手続補正３】
【補正対象書類名】明細書
【補正対象項目名】０００７
【補正方法】変更
【補正の内容】
【０００７】
（解決手段２）課題を解決するための手段２は、請求項２に記載していた通りであり、手段１に記載した遊技機において、基準位置を基準として面状図柄群を一体的に平行移動させることによって前記面状図柄群を変動する遊技機である。当該手段２によれば、基準位置を基準として面状図柄群を一体的に平行移動させることによって行う。当該平行移動による面状図柄群の変動は、変動領域の上下方向とは限らない方向に行うことが可能である。したがって、簡単な変動方法によっても変動態様が大幅に多様化するので、飽きることなく表示部を見る楽しみを遊技者に与えることができる。
【手続補正４】
【補正対象書類名】明細書
【補正対象項目名】０００８
【補正方法】変更
【補正の内容】
【０００８】
（解決手段３）課題を解決するための手段３は、請求項３に記載していた通りであり、複数の図柄からなる図柄群を変動または停止して表示する変動領域を有する表示部を備え、変動後に特定図柄が所定位置に停止すると遊技者に特典を与える遊技機において、前記図柄群の全部または一部を立体的形状の表面上に配置して立体図柄群を形成し、前記立体図柄群を一体的に回転表示または移動表示することによって前記立体図柄群を変動し、その変動後に特定図柄が所定位置に停止すると遊技者に特典を与える遊技機である。ここで、請求項３に記載した用語の「立体図柄群」は複数の図柄を立体的形状の表面上に配置した図柄群からなり、座標変換等によって表示部に擬似的に表示されるものである。当該立体的形状は球や楕円体，多面体（四面体や五面体等），円筒形状等のような任意の形状について適用でき、さらには複数の立体的形状を任意に組み合わせて合体させた形状についても適用できる。当該解釈は他の請求項および発明の詳細な説明においても同様である。
【手続補正５】
【補正対象書類名】明細書
【補正対象項目名】０００９
【補正方法】変更
【補正の内容】
【０００９】
当該手段３によれば、立体図柄群は複数の図柄からなる図柄群の全部または一部を立体的形状の表面上に配置して形成する。その後、形成した立体図柄群を一体的に回転表示または移動表示することによって立体図柄群の変動を行う。そして、立体図柄群の変動後に特定図柄が所定位置に停止すると遊技者に特典を与える。ここで、立体図柄群の変動は変動領域の上下方向とは限らない方向に行うことが可能であるので、変動態様が大幅に多様化する。したがって、特典を得る楽しみだけでなく、飽きることなく表示部を見る楽しみを遊技者に与えることができる。
また、手段としては、以下の態様を採用してもよい。
遊技機であって、
それぞれが図柄の変動と停止との表示が可能な複数の変動領域を有する表示部と、
前記複数の変動領域のそれぞれにおける表示を制御する手段であって、前記複数の変動領域のそれぞれに確定して停止表示させた図柄によって特定の図柄の組み合わせを表すことによって遊技者に特典が与えられることを報知する表示制御手段と、
を備え、
前記表示制御手段は、前記図柄の変動と停止との表示の制御のパターンとして、
前記複数の変動領域のそれぞれにおいて、前記図柄の変動を開始させる変動開始処理と、
前記変動開始処理による前記変動の開始の後に、前記複数の変動領域のうちの一部の変動領域において、図柄を停止表示させる部分停止処理と、
前記部分停止処理の後に、前記図柄が変動している変動領域のうちの特定の変動領域において、複数の図柄を含む図柄群を表示する処理であって、前記一部の変動領域に停止表示された図柄と組み合わせた場合に、前記特典が与えられることを報知する図柄の組み合わせを形成し得る図柄である当たり図柄を複数含む図柄群を表示する図柄群表示処理と、
前記図柄群表示処理の後に、前記特定の変動領域において、前記図柄群に含まれる複数の図柄のうちの１つの図柄を確定した図柄として停止表示させる図柄群変動停止表示処理と、
を含む図柄群変動パターンを有する、
遊技機。